【手続補正書】
【提出日】平成16年5月12日(2004.5.12)
【手続補正１】
【補正対象書類名】明細書
【補正対象項目名】発明の名称
【補正方法】変更
【補正の内容】
【発明の名称】情報配信システム、情報処理端末装置、情報配信装置、携帯端末装置
【手続補正２】
【補正対象書類名】明細書
【補正対象項目名】特許請求の範囲
【補正方法】変更
【補正の内容】
【特許請求の範囲】
【請求項１】
情報センタと情報処理端末装置とから成り、
前記情報処理端末装置は、
操作手段と、
前記操作手段の操作に応じて、文字情報の要求、もしくは対応した文字情報と音声情報の要求のうちのいずれか一方の要求に対応する要求情報を生成することができる要求情報生成手段と、
前記情報センタとの間で情報通信を行う端末側通信手段と、
前記要求情報生成手段で生成した要求情報を前記端末側通信手段により前記情報センタに送信するとともに、前記情報センタから送信されてきた情報を取り込むことのできる通信制御手段とを備え、
前記情報センタは、
各種情報を格納するデータベース手段と、
前記情報処理端末装置との間で情報通信を行うセンタ側通信手段と、
前記情報処理端末装置より送信され、前記センタ側通信手段により取り込まれた要求情報に基づいて前記データベース手段の検索を行い、文字情報、もしくは対応した文字情報と音声情報のうちのいずれか一方の配信情報を生成し、前記センタ側通信手段により前記情報処理端末装置に対して送信させる配信制御手段とを備えていることを特徴とする情報配信システム。
【請求項２】
前記配信制御手段は、前記対応した文字情報と音声情報に基づいて配信情報を生成する際には、その文字情報と音声情報を合成して配信情報を生成することを特徴とする請求項１に記載の情報配信システム。
【請求項３】
前記情報処理端末装置は、前記端末側通信手段を有する端末装置部と、該端末装置部に接続可能な携帯端末装置部から成り、
前記情報センタからの配信情報は、前記端末装置部を介して、その端末装置部に接続された前記携帯端末装置部に供給されることを特徴とする請求項１に記載の情報配信システム。
【請求項４】
前記情報処理端末装置は、記憶手段を有し、
前記情報センタからの配信情報は、前記記憶手段に記憶できることを特徴とする請求項１に記載の情報配信システム。
【請求項５】
前記携帯端末装置部は、記録媒体に対して情報の記録を行うことのできる記憶手段を有し、
前記情報センタからの配信情報を、前記記録媒体に記録できることを特徴とする請求項３に記載の情報配信システム。
【請求項６】
前記情報処理端末装置は、音声及び文字を出力できる出力手段を有し、
前記情報センタからの配信情報を、前記出力手段により音声又は文字として出力することができるように構成されていることを特徴とする請求項１に記載の情報配信システム。
【請求項７】
前記情報処理端末装置は、前記情報センタからの配信情報を記憶できる記憶手段を有し、
前記出力手段は、情報センタからの配信情報として前記記憶手段に記憶されている情報を、音声又は文字として出力することができるように構成されていることを特徴とする請求項６に記載の情報配信システム。
【請求項８】
前記出力手段は、出力する配信情報が音声情報と文字情報の両方で構成されていた場合は、文字情報としての文字出力に同期させたタイミングで音声情報としての音声出力を実行するか、もしくは音声情報としての音声出力に同期させたタイミングで文字情報としての文字出力を実行することができるように構成されていることを特徴とする請求項６に記載の情報配信システム。
【請求項９】
前記出力手段は、前記操作手段の操作に応じて、音声及び／又は文字の出力速度を変化させることができるように構成されていることを特徴とする請求項６に記載の情報配信システム。
【請求項１０】
前記出力手段は、前記操作手段の操作に応じて、音声の出力をミュートすることができるように構成されていることを特徴とする請求項６に記載の情報配信システム。
【請求項１１】
前記出力手段は、表示出力として文字出力を行うことを特徴とする請求項６に記載の情報配信システム。
【請求項１２】
前記配信情報とされる、前記対応した文字情報と音声情報とは、或る文字情報と、その文字を音読した音声となる音声情報であることを特徴とする請求項１に記載の情報配信システム。
【請求項１３】
前記配信情報とされる、前記対応した文字情報と音声情報とは、或る音楽としての音声情報と、その音楽の歌詞としての文字情報であることを特徴とする請求項１に記載の情報配信システム。
【請求項１４】
操作手段と、
前記操作手段の操作に応じて、文字情報の要求、もしくは対応した文字情報と音声情報の要求のうちのいずれか一方の要求に対応する要求情報を生成することができる要求情報生成手段と、
情報センタとの間で情報通信を行う端末側通信手段と、
前記要求情報生成手段で生成した要求情報を前記端末側通信手段により前記情報センタに送信するとともに、前記情報センタから送信されてきた情報を取り込むことのできる通信制御手段と、
を備えて成ることを特徴とする情報処理端末装置。
【請求項１５】
当該情報処理端末装置は、前記端末側通信手段を有する端末装置部と、該端末装置部に接続可能な携帯端末装置部から成り、
前記情報センタからの情報は、前記端末装置部を介して、その端末装置部に接続された前記携帯端末装置部に供給されるように構成されていることを特徴とする請求項１４に記載の情報処理端末装置。
【請求項１６】
記憶手段を有し、
前記情報センタから送信されてきた情報は、前記記憶手段に記憶できることを特徴とする請求項１４に記載の情報処理端末装置。
【請求項１７】
前記携帯端末装置部は、記録媒体に対して情報の記録を行うことのできる記憶手段を有し、
前記情報センタからの配信情報を、前記記録媒体に記録できることを特徴とする請求項１５に記載の情報処理端末装置。
【請求項１８】
音声及び文字を出力できる出力手段を有し、
前記情報センタからの情報を、前記出力手段により音声又は文字として出力することができるように構成されていることを特徴とする請求項１４に記載の情報処理端末装置。
【請求項１９】
前記情報センタからの情報を記憶できる記憶手段を有し、  前記出力手段は、情報センタからの情報として前記記憶手段に記憶されている情報を、音声又は文字として出力することができるように構成されていることを特徴とする請求項１８に記載の情報処理端末装置。
【請求項２０】
前記出力手段は、出力する情報が音声情報と文字情報の両方で構成されていた場合は、文字情報としての文字出力に同期させたタイミングで音声情報としての音声出力を実行するか、もしくは音声情報としての音声出力に同期させたタイミングで文字情報としての文字出力を実行することができるように構成されていることを特徴とする請求項１８に記載の情報処理端末装置。
【請求項２１】
前記出力手段は、前記操作手段の操作に応じて、音声及び／又は文字の出力速度を変化させることができるように構成されていることを特徴とする請求項１８に記載の情報処理端末装置。
【請求項２２】
前記出力手段は、前記操作手段の操作に応じて、音声の出力をミュートすることができるように構成されていることを特徴とする請求項１８に記載の情報処理端末装置。
【請求項２３】
前記出力手段は、表示出力として文字出力を行うことを特徴とする請求項１８に記載の情報処理端末装置。
【請求項２４】
各種情報を格納するデータベース手段と、
情報処理端末装置との間で情報通信を行う通信手段と、
前記情報処理端末装置より送信され、前記通信手段により取り込まれた要求情報に基づいて、前記データベース手段から文字情報、或いは、対応した文字情報と音声情報のうちのいずれか一方を検索結果として出力する検索手段と、
前記検索手段により出力された検索結果に基づき配信情報を生成し、当該配信情報を前記通信手段により前記情報処理端末装置に対して送信させる配信制御手段と、
を備えていることを特徴とする情報配信装置。
【請求項２５】
操作手段と、
文字情報、或いは、対応した文字情報と音声情報を受信する受信手段と、
前記受信により受信された文字情報、或いは、対応した文字情報と音声情報を記憶媒体に記録する記録手段と、
前記記憶媒体に記録された文字情報を表示する表示手段と、
前記記憶媒体に記録された音声情報を出力する音声出力手段と、
前記対応した文字情報と音声情報のうちの文字情報が前記表示手段に表示されるとき、前記操作手段からの入力に応じて、前記対応した文字情報と音声情報のうちの音声情報が前記音声出力手段により出力されるように制御する制御手段と、
を備えることを特徴とする携帯端末装置。
【請求項２６】
前記制御手段は、前記表示手段に表示される文字情報に同期して前記音声出力手段が前記音声情報を出力するか、或いは、前記音声出力手段により出力される音声情報に同期して前記表示手段が前記文字情報を表示するように制御する請求項２５に記載の携帯端末装置。
【請求項２７】
前記制御手段は、前記操作手段からの入力に応じて、前記音声出力手段による前記音声情報の出力速度、或いは、前記表示手段による前記文字情報の出力速度を制御する請求項２５に記載の携帯端末装置。
【請求項２８】
前記制御手段は、前記操作手段からの入力に応じて、前記音声出力手段からの音声出力をミュートする請求項２５に記載の携帯端末装置。
【手続補正３】
【補正対象書類名】明細書
【補正対象項目名】０００１
【補正方法】変更
【補正の内容】
【０００１】
【発明の属する技術分野】
本発明は、例えば情報が蓄積されている情報格納装置から少なくとも一つ以上の端末装置に情報を配信することができる情報配信システム、及び配信される情報を出力することができる情報処理装置、さらには情報配信装置、携帯端末装置に関するものである。
【手続補正４】
【補正対象書類名】明細書
【補正対象項目名】０００５
【補正方法】変更
【補正の内容】
【０００５】
【課題を解決するための手段】
本発明はこのような点を鑑みてなされたものであり、本発明の情報配信システムは、情報センタと情報処理端末装置とから成り、前記情報処理端末装置は、操作手段と、前記操作手段の操作に応じて、文字情報の要求、もしくは対応した文字情報と音声情報の要求のうちのいずれか一方の要求に対応する要求情報を生成することができる要求情報生成手段と、前記情報センタとの間で情報通信を行う端末側通信手段と、前記要求情報生成手段で生成した要求情報を前記端末側通信手段により前記情報センタに送信するとともに、前記情報センタから送信されてきた情報を取り込むことのできる通信制御手段とを備えるようにした。また前記情報センタは、各種情報を格納するデータベース手段と、前記情報処理端末装置との間で情報通信を行うセンタ側通信手段と、前記情報処理端末装置より送信され、前記センタ側通信手段により取り込まれた要求情報に基づいて前記データベース手段の検索を行い、文字情報、もしくは対応した文字情報と音声情報のうちのいずれか一方の配信情報を生成し、前記センタ側通信手段により前記情報処理端末装置に対して送信させる配信制御手段とを備えるようにした。
【手続補正５】
【補正対象書類名】明細書
【補正対象項目名】０００６
【補正方法】変更
【補正の内容】
【０００６】
また、本発明の情報処理端末装置は、操作手段と、前記操作手段の操作に応じて、文字情報の要求、もしくは対応した文字情報と音声情報の要求のうちのいずれか一方の要求に対応する要求情報を生成することができる要求情報生成手段と、情報センタとの間で情報通信を行う端末側通信手段と、前記要求情報生成手段で生成した要求情報を前記端末側通信手段により前記情報センタに送信するとともに、前記情報センタから送信されてきた情報を取り込むことのできる通信制御手段とを備えて構成される。
【手続補正６】
【補正対象書類名】明細書
【補正対象項目名】０００７
【補正方法】変更
【補正の内容】
【０００７】
本発明の情報配信システムによれば、情報処理端末装置から文字情報の要求、もしくは対応した文字情報と音声情報の要求のうちのいずれか一方の要求に対応する要求情報を要求情報生成手段で生成して、情報センタに送信するとともに、前記情報センタから送信されてきた情報を通信制御手段で取り込むことで、情報処理端末装置において文字情報、音声情報、もしくは或る対応した文字情報と音声情報を選択的に取り込むことができる。
【手続補正７】
【補正対象書類名】明細書
【補正対象項目名】００７８
【補正方法】変更
【補正の内容】
【００７８】
よって、ステップＳ２０２においては表示されている文字データを参照して現在出力されるべき音声データを割り出し出力するように制御して文字データと音声データの同期をとるようにして、文字データと、その文字データに対応した音声データをノーマル出力として出力するようにしている。
【手続補正８】
【補正対象書類名】明細書
【補正対象項目名】００８３
【補正方法】変更
【補正の内容】
【００８３】
次に、図９は本実施の形態とされる情報配信システムによって、文字データと音声データが配信された場合の携帯端末装置３側の具体的な処理動作の他の一例を示したフローチャートである。この動作についても端末装置２でも同様に実行可能である。
先ずステップＳ３０１において、携帯端末装置３において文字データと音声データの双方が受信されると、上記図８同様に文字データについては例えば表示部３０１を用いて文字を表示すると共に、その文字データを音読する音声データを例えばヘッドホン８から音声出力する。なお、この場合も受信される音声データと文字データは合成情報と限定するものではないので分離処理については割愛する。
【手続補正９】
【補正対象書類名】明細書
【補正対象項目名】００８４
【補正方法】変更
【補正の内容】
【００８４】
次に、ステップＳ３０２においては、上記図８において説明したような手法により文字データと音声データの同期をとるようにして文字データとその文字データに対応した音声データをノーマル出力として出力するようにされる。
ここで、ユーザが例えば、キー操作部３０２に設けられている動作キー３０５を例えば１回クリックすると（Ｓ３０３）、ステップＳ３０５に進んで、携帯端末装置３の制御部３１１は、音声出力をＯＦＦにするように制御する。そして、この音声出力がＯＦＦの状態で再びキー操作部３０２の動作キー３０５が１回クリックされると、ステップＳ３０８に進んで再び音声出力がＯＮにとなるように制御してステップＳ３０３に戻るようにされる。
【手続補正１０】
【補正対象書類名】明細書
【補正対象項目名】００８９
【補正方法】変更
【補正の内容】
【００８９】
【発明の効果】
以上説明したように本発明の情報配信システムによれば、情報処理端末装置から文字情報、もしくは対応した文字情報と音声情報の要求のうちのいずれか一方の要求に対応する要求情報を要求情報生成手段で生成して、情報センタに送信するとともに、前記情報センタから送信されてきた情報を通信制御手段で取り込むことで、情報処理端末装置において文字情報、音声情報、もしくは或る対応した文字情報と音声情報を選択的に取り込むことができるため、通信回線網が混雑しているときは例えば文字情報のみ取り込むように知ることで効率的な情報収集が可能となり、情報収集の迅速化を図ることができる。